(57)【特許請求の範囲】
【請求項１】
書き換え可能なＲＯＭ（２）へ、機器（１００ｃ，１００ｄ）の動作を制御するデータを格納する方法であって、
（ａ）前記機器に所定の電子部品（ＥＶ）が存在するか否かを判別部（４）によって判断する工程（Ｓ５）と、
（ｂ）前記所定の電子部品が存在しない場合の機器（１００ｃ）に必要であって前記所定の電子部品が存在する場合の機器（１００ｄ）に必要でない第１のデータ（ＥＥＡ）及び前記所定の電子部品が存在する場合の機器に必要であって前記所定の電子部品が存在しない場合の機器に必要でない第２のデータ（ＥＥＢ）を格納するＲＯＭ（１）から、前記（ａ）工程の判断結果に基づいて、前記第１及び第２のデータを択一的に前記書き換え可能なＲＯＭへとＣＰＵ（３）によって格納する工程（Ｓ６，Ｓ７）と、
（ｃ）前記（ａ）工程よりも前に、前記書き換え可能なＲＯＭ（２）がフォーマット可能かの判断を行う工程（Ｓ１）と、
（ｄ）前記書き換え可能なＲＯＭがフォーマット可能な場合に、前記機器の機種についての判定を自動的に行う自動モードに設定する工程（Ｓ２）と、
（ｅ）前記（ｃ）工程よりも後で、前記自動モードが設定されているかの判断を行う工程（Ｓ４）と
を備え、
前記（ａ）工程及び前記（ｂ）工程は、前記自動モードが設定されている場合に実行されるデータ格納方法。
【請求項２】
前記（ｄ）工程は、前記機器に所定の電子部品が存在する場合にもしない場合にも共通して前記書き換え可能なＲＯＭに格納されるべき共通データ（ＣＯＭ）を、前記ＲＯＭから前記書き換え可能なＲＯＭに格納する工程（Ｓ２）を有する、請求項１記載のデータ格納方法。
【請求項３】
前記共通データは前記機器の機種についての判定の態様を示す判定モードデータ（Ｄ）を含み、
前記工程（ｅ）においては、前記判定モードデータが前記自動モードを表しているか否かに基づいて前記判断が行われる、請求項２記載のデータ格納方法。
【請求項４】
前記（ｃ）工程においては、前記共通データ（ＣＯＭ）の存否に基づいて前記判断が行われる、請求項２及び請求項３のいずれか一つに記載のデータ格納方法。
【請求項５】
（ｆ）前記（ｂ）工程の後に、前記（ａ）工程の前記判断結果に拘わらず、前記第１及び第２のデータを択一的に前記書き換え可能なＲＯＭへと格納する工程（Ｓ９，Ｓ１０，Ｓ１１，Ｓ１２）
を更に備える、請求項１乃至請求項４のいずれか一つに記載のデータ格納方法。
【請求項６】
前記（ｄ）工程は、前記第１のデータを前記ＲＯＭから前記書き換え可能なＲＯＭへと格納する工程（Ｓ３）を有する、請求項１乃至請求項５のいずれか一つに記載のデータ格納方法。
【請求項７】
機器（１００ｃ，１００ｄ）の動作を制御する第１及び第２のデータ（ＥＥＡ，ＥＥＢ）を格納するＲＯＭ（１）と、
請求項１乃至請求項６のいずれか一つに記載のデータ格納方法を用いて、前記機器の種類に応じて前記第１及び第２のデータが択一的に前記ＲＯＭから格納される書き換え可能なＲＯＭ（２）と、
前記書き換え可能なＲＯＭに格納されたデータに基づいて前記機器の動作を制御する処理部（３）と
を備えるデータ格納装置（１０，２０）。
【請求項８】
前記所定の電子部品（ＥＶ）が存在するか否かを判別し、その判別結果を前記処理部に与える判別部（４）
を更に備え、
前記処理部は前記判別結果に基づいて、前記第１及び第２のデータを択一的に前記ＲＯＭから前記書き換え可能なＲＯＭへと格納させる、請求項７記載のデータ格納装置（２０）。
【発明の詳細な説明】
【０００１】
【発明の属する技術分野】
この発明は、第１及び第２のデータを択一的に書き換え可能なＲＯＭへと格納する技術に関する。
【０００２】
【従来の技術】
機器の動作をマイクロコンピュータで制御する技術においては、所定のデータ（本明細書においてプログラムを含む）に基づいてＣＰＵ（Central Processing Unit）が当該制御を行う。当該データはＲＯＭ（Read Only Memory）に書き込まれ、ＣＰＵは当該ＲＯＭから必要なデータを用いて機器の動作を制御する。
【０００３】
しかしながら、制御対象となる機種が異なっていても、上記の制御主体となる部分は同一の構成を採用することにより、制御主体の設計、製造を容易とする技術が実施されている。
【０００４】
図１０及び図１１は従来の技術を示すブロック図であり、空気調和機を例に採って示している。図１０に示される空気調和機１００ａは、Ｐ板と呼び慣わされる電子回路２１と、冷媒の圧縮や熱交換などを行う駆動系３０ａとを備えている。図１１に示される空気調和機１００ｂは、電子回路２１と駆動系３０ｂとを備えている。駆動系３０ｂは駆動系３０ａとは異なり、電子膨張弁ＥＶを備えている。
【０００５】
電子回路２１は制御部５と、制御部５に対して指令を行う集積回路１０とを有している。そして、電子膨張弁ＥＶを備えない駆動系３０ａ、電子膨張弁ＥＶを備える駆動系３０ｂのいずれの制御にも、同一の構成の制御部５及び集積回路１０を使用している。すなわち制御部５は駆動系３０ａ，３０ｂのいずれをも直接的に制御し、集積回路１０は駆動系３０ａ，３０ｂのいずれをも間接的に制御する。
【０００６】
集積回路１１は、書き換え可能なＥＥＰＲＯＭ（Electrically Erasable Programmable ROM）２と、ＣＰＵ３とを有している。ＣＰＵ３は制御部５に対して上述の指令を行う。当該指令は当然、電子膨張弁ＥＶの有無に依存して、空気調和機１００ａと空気調和機１００ｂとでは異なる。その故に、ＣＰＵ３の動作が依拠するデータは、電子回路２１が空気調和機１００ａに搭載される場合と、空気調和機１００ｂに搭載される場合とでその初期値（本明細書において「初期データ」とする）が異なる。
【０００７】
しかし、ＥＥＰＲＯＭ２に初期データとして格納されるべき異なる２つのデータを、電子回路２１が空気調和機１００ａに搭載される場合と、空気調和機１００ｂに搭載される場合とで、それぞれ適切に選択してＥＥＰＲＯＭ２に格納すれば、いずれの場合も電子回路２１の構成を同一とし得る。
【０００８】
ＣＰＵ３の動作が依拠するデータをＲＯＭにではなく、ＥＥＰＲＯＭ２に格納することは、空気調和機１００ａ，１００ｂを使用するうちに、ユーザーによる希望の設定を記憶させる点でも望ましい。
【０００９】
【発明が解決しようとする課題】
しかしながら従来の技術では、ＥＥＰＲＯＭ２の初期データは、空気調和機１００ａ，１００ｂの区別を人手で判断し、外部機器からの通信により書き込んでいた。これは電子回路２１あるいはこれを搭載した空気調和機１００ａ，１００ｂの初期設定時に、多大な労力を必要とする。
【００１０】
また、一旦は空気調和機１００ａ，１００ｂに組み込まれて、初期データＥＥＡ，ＥＥＢのいずれかが書き込まれたＥＥＰＲＯＭ２を有する電子回路２１は、それぞれ他の空気調和機１００ｂ，１００ａに対する補用部品とすることが困難である。
【００１１】
本発明は上記の事情に鑑みてなされたもので、第１及び第２のデータを自動的に選択して書き換え可能なＲＯＭへと格納する技術を提供することを目的としている。
【００１３】
【課題を解決するための手段】
この発明のうち請求項１にかかるものは、書き換え可能なＲＯＭ（２）へ、機器（１００ｃ，１００ｄ）の動作を制御するデータを格納する方法であって、（ａ）前記機器に所定の電子部品（ＥＶ）が存在するか否かを判別部（４）によって判断する工程（Ｓ５）と、（ｂ）前記所定の電子部品が存在しない場合の機器（１００ｃ）に必要であって前記所定の電子部品が存在する場合の機器（１００ｄ）に必要でない第１のデータ（ＥＥＡ）及び前記所定の電子部品が存在する場合の機器に必要であって前記所定の電子部品が存在しない場合の機器に必要でない第２のデータ（ＥＥＢ）を格納するＲＯＭ（１）から、前記（ａ）工程の判断結果に基づいて、前記第１及び第２のデータを択一的に前記書き換え可能なＲＯＭへとＣＰＵ（３）によって格納する工程（Ｓ６，Ｓ７）と、（ｃ）前記（ａ）工程よりも前に、前記書き換え可能なＲＯＭ（２）がフォーマット可能かの判断を行う工程（Ｓ１）と、（ｄ）前記書き換え可能なＲＯＭがフォーマット可能な場合に、前記機器の機種についての判定を自動的に行う自動モードに設定する工程（Ｓ２）と、（ｅ）前記（ｃ）工程よりも後で、前記自動モードが設定されているかの判断を行う工程（Ｓ４）とを備える。そして前記（ａ）工程及び前記（ｂ）工程は、前記自動モードが設定されている場合に実行される。
【００１４】
この発明のうち請求項２にかかるものは、請求項１記載のデータ格納方法であって、前記（ｄ）工程は、前記機器に所定の電子部品が存在する場合にもしない場合にも共通して前記書き換え可能なＲＯＭに格納されるべき共通データ（ＣＯＭ）を、前記ＲＯＭから前記書き換え可能なＲＯＭに格納する工程（Ｓ２）を有する。
【００１５】
この発明のうち請求項３にかかるものは、請求項２記載のデータ格納方法であって、前記共通データは前記機器の機種についての判定の態様を示す判定モードデータ（Ｄ）を含み、前記工程（ｅ）においては、前記判定モードデータが前記自動モードを表しているか否かに基づいて前記判断が行われる。
【００１６】
この発明のうち請求項４にかかるものは、請求項２及び請求項３のいずれか一つに記載のデータ格納方法であって、前記（ｃ）工程においては、前記共通データ（ＣＯＭ）の存否に基づいて前記判断が行われる。
【００１７】
この発明のうち請求項５にかかるものは、請求項１乃至請求項４のいずれか一つに記載のデータ格納方法であって、（ｆ）前記（ｂ）工程の後に、前記（ａ）工程の前記判断結果に拘わらず、前記第１及び第２のデータを択一的に前記書き換え可能なＲＯＭへと格納する工程（Ｓ９，Ｓ１０，Ｓ１１，Ｓ１２）を更に備える。
【００１８】
この発明のうち請求項６にかかるものは、請求項１乃至請求項５のいずれか一つに記載のデータ格納方法であって、前記（ｄ）工程は、前記第１のデータを前記ＲＯＭから前記書き換え可能なＲＯＭへと格納する工程（Ｓ３）を有する。
【００１９】
この発明のうち請求項７にかかるものは、機器（１００ｃ，１００ｄ）の動作を制御する第１及び第２のデータ（ＥＥＡ，ＥＥＢ）を格納するＲＯＭ（１）と、請求項１乃至請求項６のいずれか一つに記載のデータ格納方法を用いて、前記機器の種類に応じて前記第１及び第２のデータが択一的に前記ＲＯＭから格納される書き換え可能なＲＯＭ（２）と、前記書き換え可能なＲＯＭに格納されたデータに基づいて前記機器の動作を制御する処理部（３）とを備えるデータ格納装置（１０，２０）である。
【００２０】
この発明のうち請求項８にかかるものは、請求項７記載のデータ格納装置（２０）であって、前記所定の電子部品（ＥＶ）が存在するか否かを判別し、その判別結果を前記処理部に与える判別部（４）を更に備える。そして、前記処理部は前記判別結果に基づいて、前記第１及び第２のデータを択一的に前記ＲＯＭから前記書き換え可能なＲＯＭへと格納させる。
【００２２】
【発明の実施の形態】
図１及び図２は本発明の実施の形態の一つとして空気調和機を例示するブロック図である。図１に示される空気調和機１００ｃは、Ｐ板たる電子回路２０と、図１０の空気調和機１００ａについて説明された駆動系３０ａとを備えている。電子回路２０は、判別部４と、集積回路１０と、図１０の空気調和機１００ａについて説明された制御部５とを備えている。
【００２３】
集積回路１０はＲＯＭ１、ＥＥＰＲＯＭ２、ＣＰＵ３を有している。ＣＰＵ３は制御部５に対して指令を与える。ＣＰＵ３の動作はＥＥＰＲＯＭ２に格納されたデータに依拠する。
【００２４】
ＲＯＭ１は、電子回路２０が空気調和機１００ｃに搭載される場合と、空気調和機１００ｄに搭載される場合とで共通してＣＰＵ３の動作に必要な共通データＣＯＭ、電子回路２０が空気調和機１００ｃに搭載される場合に必要であって空気調和機１００ｄに搭載される場合に必要でない初期データＥＥＡ、電子回路２０が空気調和機１００ｃに搭載される場合に必要でなく空気調和機１００ｄに搭載される場合に必要である初期データＥＥＢを格納している。
【００２５】
判別部４は、電子回路２０が搭載された空気調和機の備える駆動系に、電子膨張弁ＥＶが存在するか否かを判別し、その判別結果をＣＰＵ３に与える。図１においては、駆動系３０ａに電子膨張弁ＥＶが備えられていないことを破線で示している。一方、図２に示される空気調和機１００ｄは、電子回路２０と、図１１の空気調和機１００ｂについて説明された駆動系３０ｂとを備えている。従って判別部４は、自身が備えられる電子回路２０が、空気調和機１００ｃに搭載された場合には電子膨張弁ＥＶが存在しないことを、空気調和機１００ｄに搭載された場合には電子膨張弁ＥＶが存在することを、それぞれＣＰＵ３に了知させる。ＣＰＵ３はこれを受けて、ＲＯＭ１からＥＥＰＲＯＭ２へと、異なる２つの初期データを選択して格納させる。
【００２６】
本実施の形態ではこのように、初期データＥＥＡ，ＥＥＢが予めＲＯＭ１に格納されており、機器の種類の判定結果に基づいて、初期データＥＥＡ，ＥＥＢを択一的にＲＯＭ１からＥＥＰＲＯＭ２へと電子回路２０が自動的に格納することができる。そして制御部５は、ＥＥＰＲＯＭ２に格納されたデータに基づいて動作するＣＰＵ３から指令を受け、駆動系３０ａ，３０ｂの動作を制御する。よって機器の種類が複数であっても電子回路２０の構成を一種類として設計、製造することができる。
【００２７】
機器の種類の判定は、例えば電子膨張弁ＥＶの存否を判別した結果を用いる。電子膨張弁ＥＶの存否を判別する技術は公知であり、例えば特開平２−２６７４８２号公報に紹介されている。
【００２８】
図３及び図４は本実施の形態にかかるデータ格納方法を示すフローチャートであり、両図に示されるフローチャートは接続子Ｊを介して相互に接続可能である。またそれぞれが単独のフローチャートとしても機能できる。
【００２９】
電子回路２０を搭載した空気調和機１００ｃあるいは空気調和機１００ｄは、その電源が投入されることにより、電子回路２０にも通電される。そしてステップＳ１において、ＥＥＰＲＯＭ２のフォーマットを可能にする条件（フォーマット条件）が成立しているか否かを判断する。例えば製造直後ではＥＥＰＲＯＭ２には何も書き込まれておらず、フォーマット条件が成立している。その場合には図中「Ｙ」と記された経路を通ってステップＳ２へと進み、共通データＣＯＭがＲＯＭ１からＥＥＰＲＯＭ２に書き込まれる。
【００３０】
図５はステップＳ２が実行される様子を示す模式図である。ＲＯＭ１はメモリ空間である領域１ａ，１ｂ，１ｃを備えており、それぞれ初期データＥＥＡ，ＥＥＢ及び共通データＣＯＭを格納している。そしてステップＳ２において、領域１ｃから共通データＣＯＭがＥＥＰＲＯＭ２の領域２ｃへと書き込まれる。電子膨張弁が存在しない空気調和機１００ｃにも、電子膨張弁が存在する空気調和機１００ｄにも、共通に使用される共通データＣＯＭを設定することにより、ＲＯＭ１に格納するデータ量を削減することができる。
【００３１】
共通データＣＯＭは、従来の技術に加えて更に、空気調和機の機種についての判定の態様を示す判定モードデータＤを含んでいる。ステップＳ２において領域２ｃに格納される判定モードデータＤは、判定の態様が「自動」であることを表す。
【００３２】
ステップＳ２の実行後、ステップＳ３において、デフォルトとして初期データＥＥＡがＲＯＭ１からＥＥＰＲＯＭ２に書き込まれる。図６はステップＳ３が実行される様子を示す模式図である。領域１ａから初期データＥＥＡがＥＥＰＲＯＭ２の領域２ｄへと書き込まれる。
【００３３】
なおデフォルトとして初期データＥＥＢがＲＯＭ１からＥＥＰＲＯＭ２に書き込まれてもよい。その場合には図７に模式的に示されるように、領域１ｂから初期データＥＥＢが領域２ｄへと書き込まれる。これによりＥＥＰＲＯＭ２の格納すべき内容が一応定められる。
【００３４】
ステップＳ３が実行された後、処理の流れは接続子Ｊに達する。ステップＳ１，Ｓ２，Ｓ３が実行された後に空気調和機１００ｃ，１００ｄから取り外し、フォーマット済みのＥＥＰＲＯＭ２を搭載した電子回路２０として工場から出荷し、流通させることができる。工場出荷のためにステップＳ１，Ｓ２，Ｓ３を実行するためには、電子回路２０を空気調和機１００ｃ，１００ｄに搭載する必要はなく、電子回路２０を製造する製造ラインにおいて電子回路２０自体に電源を供給してもよい。
【００３５】
さて空気調和機１００ｃ，１００ｄを製造する製造ラインにおいては、ステップＳ１，Ｓ２，Ｓ３が実行済みの電子回路２０を用いてアセンブリを行う。そして空気調和機１００ｃ，１００ｄに電源が投入されることにより、電子回路２０にも通電される。当該電子回路２０は既にステップＳ２において共通データＣＯＭが書き込まれている。従って当該電子回路２０を改めてフォーマットする必要はなく、ステップＳ２，Ｓ３を実行する必要はない。
【００３６】
ステップＳ２，Ｓ３を実行させないため、ステップＳ１では共通データＣＯＭの存否に基づいて判断が行われる。これにより、電子回路２０に備えられたＥＥＰＲＯＭ２が、既に一度、ステップＳ１，Ｓ２，Ｓ３が実行されたＥＥＰＲＯＭ２であるか否かを判断できる。
【００３７】
ステップＳ１において、電子回路２０においてフォーマット条件が成立しないと判断されると、図において「Ｎ」と記された経路を通ってステップＳ４へと進み、空気調和機の機種についての判定の態様が「自動」であるか否かが判断される。例えば電子回路２０が工場出荷直後のものであれば、ステップＳ２において判定モードデータＤが共通データＣＯＭに含まれている。しかも判定モードデータＤが判定の態様が「自動」であることを示しているので、図において「Ｙ」と記された経路を通ってステップＳ５へと進む。なお、ステップＳ４において否定的判断がされる場合については後述することとし、ここでの説明を留保する。
【００３８】
ステップＳ５では、電子膨張弁ＥＶが有るかが判別部４によって判断され、その判別結果がＣＰＵ３に伝達される。電子膨張弁ＥＶが無い場合には、図において「Ｎ」と記された経路を通ってステップＳ６に進む。この場合、電子回路２０が搭載されている空気調和機１００ｃは駆動系３０ａを備えているのであるから、図６に示されるように、駆動系３０ａの制御に適したデータたる初期データＥＥＡをＲＯＭ１からＥＥＰＲＯＭ２へと格納する。この動作は、電子膨張弁ＥＶが無い旨を判別部４から得たＣＰＵ３の制御によって行うことができる。
【００３９】
一方、電子膨張弁ＥＶが有る場合には、図において「Ｙ」と記された経路を通ってステップＳ７に進む。この場合、電子回路２０が搭載されている空気調和機１００ｄは駆動系３０ｂを備えているのであるから、図７に示されるように、駆動系３０ｂの制御に適したデータたる初期データＥＥＢをＲＯＭ１からＥＥＰＲＯＭ２へと格納する。この動作は、電子膨張弁ＥＶが有る旨を判別部４から得たＣＰＵ３の制御によって行うことができる。
【００４０】
ステップＳ６又はステップＳ７が実行された後のＥＥＰＲＯＭ２を有する集積回路１０，ひいては電子回路２０は、それが搭載される空気調和機１００ｃ又は空気調和機１００ｄに適した状態に設定されている。
【００４１】
このようにステップＳ５において電子膨張弁ＥＶが存在するか否かを判別し、その判別結果を用いて、機器の種類を判定する。そしてこの判定の結果に基づいて、ステップＳ６，Ｓ７においてそれぞれ初期データＥＥＡ，ＥＥＢをＲＯＭ１からＥＥＰＲＯＭ２へと格納する。この格納は初期データＥＥＡ，ＥＥＢについて択一的であり、自動的に行われる。ステップＳ４が実行される前には、ステップＳ２によって判定の態様が「自動」とされており、上記自動的なＥＥＰＲＯＭへの択一的なデータの格納が行われる。なお、後述するステップＳ８においても判定の態様を「自動」とすることができる。
【００４２】
しかもステップＳ２でＥＥＰＲＯＭ２に書き込まれた判定モードデータＤを用いて、判定の態様が「自動」であるか否かをステップＳ４で判断するので、機器の機種についての判定を自動的に行う態様と設定することは容易である。
【００４３】
ステップＳ４から、又はステップＳ６若しくはステップＳ７から、処理の流れが接続子Ｊに至った後、空気調和機１００ｃ，１００ｄは工場出荷や設置個所変更などのため、流通する。そしてこれらが設置される現地において、新たに初期データを設定し直すことも望ましい。
【００４４】
現地において空気調和機１００ｃ，１００ｄに電源が投入されると、図３に示されたフローチャートが実行された後、接続子Ｊを介して図４のステップＳ８に進む。ステップＳ８ではＥＥＰＲＯＭ２の現地設定処理が行われる。当該処理は、判定の態様を「自動」としたり、あるいは強制的に駆動系３０ａが搭載された空気調和機１００ｃであると判定させたり、駆動系３０ｂが搭載された空気調和機１００ｄであると判定させたりする。具体的には例えば、判定モードデータＤを書き換え、書き換えられた判定モードデータＤに基づいてＣＰＵ３が動作することにより、判別部４の判別結果を無視して強制的に機種を判定し、領域２ｄに格納すべきデータの種類を決定する。
【００４５】
ステップＳ８からはステップＳ９に進み、機種判定設定が、強制的に空気調和機１００ｄとされているか否かが判断される。例えばステップＳ８において、機種判定設定が強制的に空気調和機１００ｄとされていれば、ステップＳ９から図において「Ｙ」と記された経路を通ってステップＳ１０に進む。そして空気調和機１００ｄに適切な初期データＥＥＢがＥＥＰＲＯＭ２に書き込まれる。
【００４６】
図８はステップＳ１０の動作の一例を模式的に示す図である。同図（ｉ）はステップＳ３又はステップＳ６によって既に領域２ｄに初期データＥＥＡが書き込まれていたＥＥＰＲＯＭ２の状態を示し、同図（ｉｉ）は同図（ｉ）の状態にあったＥＥＰＲＯＭ２に対してステップＳ１０が実行され、初期データＥＥＢが書き込まれた状態を示す。但し、同図（ｉ）において記号Ｄは判定モードデータＤがステップＳ２において書き込まれたまま変更されていないことを示し、同図（ｉｉ）において記号Ｄ’はステップＳ８において判定モードデータＤの内容が、「自動」から「空気調和機１００ｄ」に変更されていることを示している。
【００４７】
ステップＳ９において、否定的な判断がなされれば、ステップＳ９から図において「Ｎ」と記された経路を通ってステップＳ１１に進む。ステップＳ１１では、機種判定設定が強制的に空気調和機１００ｃとされているか否かが判断される。例えばステップＳ８において、機種判定設定が強制的に空気調和機１００ｃとされていれば、ステップＳ１１から図において「Ｙ」と記された経路を通ってステップＳ１２に進む。そして空気調和機１００ｃに適切な初期データＥＥＡがＥＥＰＲＯＭ２に書き込まれる。ステップＳ１１において、否定的な判断がなされれば、ステップＳ１１から図において「Ｎ」と記された経路を通ってステップＳ１３に進む。
【００４８】
以上のように、図４で示されるフローチャートが実行されることにより、一旦は自動的に設定されたＥＥＰＲＯＭ２の内容をマニュアルで設定し直すことができるので、空気調和機１００ｃ，１００ｄを設置する現場での変更にも柔軟に対処することができる。
【００４９】
なお、上述の処理から明白であるが、ステップＳ９，Ｓ１０の対と、ステップＳ１１，Ｓ１２の対との前後関係を入れ替えることができる。
【００５０】
ステップＳ１３ではＥＥＰＲＯＭ２の初期設定以外の処理、例えば空気調和機の温度設定、風向設定などが行われる。但し、このように設定された諸量は、ステップＳ１３においてユーザー設定パラメータとしてＥＥＰＲＯＭ２に、例えば領域２ｄに格納することができる。
【００５１】
その後、ステップＳ１４において電源オフと判断されれば図において「Ｙ」と記された経路を通って当該フローチャートは終了する。電源オフでなければ図において「Ｎ」と記された経路を通って、ステップＳ１５へと進む。
【００５２】
ステップＳ１５では機種判定設定を変更するか否かが判断される。変更する場合には図において「Ｙ」と記された経路を通ってステップＳ８に戻る。機種判定設定を変更しない場合にはステップＳ１３に戻る。
【００５３】
以上のようにして電源オフの後は、ＥＥＰＲＯＭ２の現地での設定も完了している。しかしながら、電源オフの後に、更にＥＥＰＲＯＭ２の格納内容を現地で変更したい場合もある。図９はそのような場合を例示する模式図である。電子回路２０が、一旦は空気調和機１００ｃに搭載されたが、その後に空気調和機１００ｄに補用される場合が図９に示されている。かかる場合には、改めてステップＳ７又はステップＳ１０が実行される必要がある。
【００５４】
一旦は空気調和機１００ｃに搭載されてこれに適した設定を受けたＥＥＰＲＯＭ２を備えた電子回路２０が、その後に空気調和機１００ｄに補用されて電源投入された場合も、図３、図４のフローチャートが採用できる。先ずステップＳ１については、既にＥＥＰＲＯＭ２は空気調和機１００ｃ用に設定されているので、否定的判断がなされ、ステップＳ４に進む。
【００５５】
空気調和機１００ｃに搭載されてＥＥＰＲＯＭ２が設定を受けた際、ステップＳ１２が実行されていれば、ステップＳ４においても否定的判断がなされ、接続子Ｊに至る（この場合が、上記で説明を留保した場合に相当する）。そして接続子Ｊを介してステップＳ８に進み、ここで機種判定設定を強制的に空気調和機１００ｄとする。これにより、ステップＳ９を介してステップＳ１０に進み、初期データＥＥＢが書き込まれる。
【００５６】
他方、空気調和機１００ｃに搭載されてＥＥＰＲＯＭ２が設定を受けた際、ステップＳ６が実行され、その後にステップＳ１２が実行されていなければ、ステップＳ４において肯定的な判断がなされる。これは例えばステップＳ６が実行されてから、ステップＳ８において判定モードデータＤの内容を「自動」のままにしておいた場合が相当する。そしてステップＳ５を介してステップＳ７に進み、初期データＥＥＢが書き込まれる。
【００５７】
あるいは、電子回路２０を工場出荷して、これを単独で現地において補用部品として採用する場合にも図３、図４のフローチャートが採用できる。ステップＳ３の実行により、工場出荷時は電子回路２０の有するＥＥＰＲＯＭ２は空気調和１００ｃに対して適した設定となっているからである。
【００５８】
判定の態様が「自動」である場合に、ステップＳ５において判別部４が存否を判別する対象としては、電子膨張弁ＥＶに限定される必要はない。その他の部品であってもよいことは明白であり、その実現は容易である。また当該発明は空気調和機以外の機器に対しても適用可能であることも明白である。
【００６０】
【発明の効果】
この発明のうち請求項１にかかるデータ格納方法によれば、書き換え可能なＲＯＭがフォーマット可能な場合に、（ａ）工程と（ｂ）工程が実行できるように、自動モードに設定できる。
【００６１】
この発明のうち請求項２にかかるデータ格納方法によれば、所定の電子部品が存在する機種にも、所定の電子部品が存在しない機種にも共通に使用される共通データを設定することにより、ＲＯＭに格納するデータ量を削減することができる。
【００６２】
この発明のうち請求項３にかかるデータ格納方法によれば、機器の機種についての判定を自動的に行う自動モードとすることを容易に設定できる。
【００６３】
この発明のうち請求項４にかかるデータ格納方法によれば、工程（ｄ−１）において共通データが書き込まれるので、既に一度、当該データ格納方法が実施された書き込み可能なＲＯＭか否かを判断することができる。
【００６４】
この発明のうち請求項５にかかるデータ格納方法によれば、自動的に設定された書き換え可能なＲＯＭの内容をマニュアルで設定し直すことができるので、機器を設置する現場での変更にも柔軟に対処することができる。
【００６５】
この発明のうち請求項６にかかるデータ格納方法によれば、書き換え可能なＲＯＭの格納すべき内容が一応定められる。
【図面の簡単な説明】
【図１】本発明の実施の形態の一つとして空気調和機を例示するブロック図である。
【図２】本発明の実施の形態の一つとして空気調和機を例示するブロック図である。
【図３】本発明にかかるデータ格納技術を示すフローチャートである。
【図４】本発明にかかるデータ格納技術を示すフローチャートである。
【図５】本発明にかかるデータ格納技術を示す模式図である。
【図６】本発明にかかるデータ格納技術を示す模式図である。
【図７】本発明にかかるデータ格納技術を示す模式図である。
【図８】本発明にかかるデータ格納技術を示す模式図である。
【図９】本発明の効果を示す模式図である。
【図１０】従来の技術を示すブロック図である。
【図１１】従来の技術を示すブロック図である。
【符号の説明】
１  ＲＯＭ
２  ＥＥＰＲＯＭ
３  ＣＰＵ
４  判別部
１０  集積回路
２０  電子回路
１００ｃ，１００ｄ  空気調和機
ＣＯＭ  共通データ
Ｄ  判定モードデータ
ＥＥＡ，ＥＥＢ  初期データ
【図１】
0003941442.tif 000002
【図２】
0003941442.tif 000003
【図３】
0003941442.tif 000004
【図４】
0003941442.tif 000005
【図５】
0003941442.tif 000006
【図６】
0003941442.tif 000007
【図７】
0003941442.tif 000008
【図８】
0003941442.tif 000009
【図９】
0003941442.tif 000010
【図１０】
0003941442.tif 000011
【図１１】
0003941442.tif 000012